(57)【要約】【課題】クレジットカードの不正使用を防止するとともに、購入時に販売店へのクレジットカード番号の通知を不要にする決済方法を提供することを目的とする。【解決手段】所定の情報に基づき、クレジットカード情報とは異なる、代わりにクレジット決済を行なうためのデータＤ２を生成する生成部４０１と、データＤ２を、クレジットカードを所有するユーザの通信装置５０へ出力する出力部４０２と、ユーザの通信装置５０から販売店の通信装置３へ所定の商品の購入を希望する通知があった場合に、上記販売店の通信装置３から上記クレジットカード情報に代わりクレジット決済を行なうためのデータＤ５を入力する入力部４０３と、データＤ２とデータＤ５とが所定の条件を満たすかを判断する判断部４０４とを備え、上記出力部４０２は、さらに、判断された判断結果情報を上記販売店の通信装置３に出力することを特徴とする。【選択図】　　　　図１
2004102484.tif 000002
【特許請求の範囲】
【請求項１】
所定の情報に基づき、クレジットカード情報とは異なるクレジットカード情報に代わりクレジット決済を行なうための第１のクレジット代替情報を生成する生成部と、
上記生成部により生成された第１のクレジット代替情報を、上記クレジットカード情報が記録されたクレジットカードを所有するユーザの通信装置へ出力する出力部と、
上記出力部により出力された第１のクレジット代替情報を入力したユーザの通信装置から上記ユーザが購入を希望する所定の商品を販売する販売店の通信装置へ所定の商品の購入を希望する通知があった場合に、上記販売店の通信装置から上記クレジットカード情報に代わりクレジット決済を行なうための第２のクレジット代替情報を入力する入力部と、
上記出力部により出力された第１のクレジット代替情報と上記入力部により入力された第２のクレジット代替情報とが所定の条件を満たすかどうかを判断する判断部と
を備え、
上記出力部は、さらに、上記判断部により上記第１のクレジット代替情報と上記第２のクレジット代替情報とが上記所定の条件を満たすと判断された判断結果情報を上記販売店の通信装置に出力することを特徴とする通信装置。
【請求項２】
上記通信装置は、さらに、上記ユーザの第１の署名情報を記憶する記憶部を備え、
上記第１のクレジット代替情報は、上記第１のクレジット代替情報の識別情報と信販会社の第１の署名情報とを有し、
上記第２のクレジット代替情報は、上記第２のクレジット代替情報の識別情報と信販会社の第２の署名情報と上記ユーザの第２の署名情報を有し、
上記判断部は、上記第１のクレジット代替情報の識別情報と上記第２のクレジット代替情報の識別情報とが、信販会社の第１の署名情報と信販会社の第２の署名情報とが、上記記憶部に記憶されたユーザの第１の署名情報と上記ユーザの第２の署名情報とがそれぞれ一致するかどうかを判断することを特徴とする請求項１記載の通信装置。
【請求項３】
上記第１のクレジット代替情報は、第１の販売店名と第１の使用金額と第１の使用期限との各情報を有し、
上記第２のクレジット代替情報は、第２の販売店名と第２の使用金額と第２の使用期限との各情報を有し、
上記判断部は、第１の販売店名と第２の販売店名とが一致し、第２の使用金額の値が第１の使用金額の値を超えていないかどうか、第２の使用期限の値が第１の使用期限の値を超えていないかどうかを判断することを特徴とする請求項１記載の通信装置。
【請求項４】
上記入力部は、上記所定の情報を上記ユーザが携帯する携帯電話端末から入力することを特徴とする請求項１記載の通信装置。
【請求項５】
ユーザが所有するクレジットカードに記録されたクレジットカード情報に基づく上記クレジットカード情報とは異なるクレジット代替情報を受信する受信部と、
購入を希望する所定の商品に関する商品情報とを入力する入力部と、
上記受信部により受信されたクレジット代替情報と上記入力部により入力された商品情報とを上記所定の商品を販売する販売店の通信装置に送信する送信部とを備え、
上記受信部は、上記販売店の通信装置が上記クレジットカードを発行した信販会社の通信装置より上記送信部により送信されたクレジット代替情報に基づいてクレジット決済が許可された場合に、上記送信部により送信されたクレジット代替情報と商品情報とに基づいた上記所定の商品を販売することを通知する販売情報を上記販売店の通信装置から受信することを特徴とする通信装置。
【請求項６】
上記受信部は、上記クレジット代替情報として上記クレジットカードを発行した信販会社の通信装置よりクレジット代替情報の識別情報とクレジット条件情報とを受信し、
上記通信装置は、さらに、上記受信部により受信されたクレジット条件情報に対し上記ユーザにユーザの署名の入力を促し、入力されたユーザの署名に基づき上記ユーザの署名情報を生成する生成部を備え、
上記送信部は、さらに、上記生成部により生成されたユーザの署名情報を上記販売店の通信装置に送信し、
上記受信部は、上記販売情報として、上記送信部により送信されたクレジット代替情報と商品情報とユーザの署名情報とに基づいた上記所定の商品を販売することを通知する販売情報を受信することを特徴とする請求項５記載の通信装置。
【請求項７】
ユーザが所有するクレジットカードに記録されたクレジットカード情報とは異なるクレジット代替情報と、上記クレジット代替情報が上記クレジットカードを発行した信販会社の通信装置により生成されたと判断された判断結果情報とを入力する入力部と、
上記入力部により入力された判断結果情報に基づき、上記ユーザが購入を希望する所定の商品を販売することを通知する販売情報を生成する生成部と、
上記クレジットカードを発行した信販会社の通信装置に上記入力部により入力されたクレジット代替情報を出力し、上記ユーザの通信装置に上記生成部により生成された販売情報を出力する出力部と
を備えたことを特徴とする通信装置。
【請求項８】
クレジットカードを用いて商取引の決済をする決済方法において、
署名機能を有するユーザの通信端末より、事前に信販会社の端末にクレジットカードの利用を申請するステップと、
上記申請に基づき信販会社の端末が購入ＩＤを発行し、発行された購入ＩＤに信販会社の署名を添付してユーザの通信端末に送信するステップと、
前記購入ＩＤに対し、さらにユーザの通信端末によりユーザの署名を添付するステップと、
ユーザの通信端末から販売店の端末に対して、所定の商品の購入申し込みを行う際に、前記購入ＩＤと信販会社の署名とユーザの署名とを送信するステップと、
販売店の端末から信販会社の端末に前記購入ＩＤと信販会社の署名とユーザの署名とを送信するステップと、
信販会社の端末が前記購入ＩＤと信販会社の署名とユーザの署名とを検証するステップと
を備えたことを特徴とする決済方法。
【請求項９】
上記通信端末は、携帯電話であることを特徴とする請求項８記載の決済方法。
【請求項１０】
所定の情報に基づき、クレジットカード情報とは異なるクレジットカード情報に代わりクレジット決済を行なうための第１のクレジット代替情報を生成する生成工程と、
上記生成工程により生成された第１のクレジット代替情報を、上記クレジットカード情報が記録されたクレジットカードを所有するユーザの通信装置へ出力する出力工程と、
上記出力工程により出力された第１のクレジット代替情報を入力したユーザの通信装置から上記ユーザが購入を希望する所定の商品を販売する販売店の通信装置へ所定の商品の購入を希望する通知があった場合に、上記販売店の通信装置から上記クレジットカード情報に代わりクレジット決済を行なうための第２のクレジット代替情報を入力する入力工程と、
上記出力工程により出力された第１のクレジット代替情報と上記入力工程により入力された第２のクレジット代替情報とが所定の条件を満たすかどうかを判断する判断工程と、
上記判断工程により上記第１のクレジット代替情報と上記第２のクレジット代替情報とが上記所定の条件を満たすと判断された判断結果情報を上記販売店の通信装置に出力する出力工程と
を備えたことを特徴とする通信方法。
【請求項１１】
ユーザが所有するクレジットカードに記録されたクレジットカード情報に基づく上記クレジットカード情報とは異なるクレジット代替情報を受信する受信工程と、
購入を希望する所定の商品に関する商品情報とを入力する入力工程と、
上記受信工程により受信されたクレジット代替情報と上記入力工程により入力された商品情報とを上記所定の商品を販売する販売店の通信装置に送信する送信工程と、
上記販売店の通信装置が上記クレジットカードを発行した信販会社の通信装置より上記送信工程により送信されたクレジット代替情報に基づいてクレジット決済が許可された場合に、上記送信工程により送信されたクレジット代替情報と商品情報とに基づいた上記所定の商品を販売することを通知する販売情報を上記販売店の通信装置から受信する受信工程と
を備えたことを特徴とする通信方法。
【請求項１２】
ユーザが所有するクレジットカードに記録されたクレジットカード情報とは異なるクレジット代替情報と、上記クレジット代替情報が上記クレジットカードを発行した信販会社の通信装置により生成されたと判断された判断結果情報とを入力する入力工程と、
上記入力工程により入力された判断結果情報に基づき、上記ユーザが購入を希望する所定の商品を販売することを通知する販売情報を生成する生成工程と、
上記クレジットカードを発行した信販会社の通信装置に上記入力工程により入力されたクレジット代替情報を出力し、上記ユーザの通信装置に上記生成工程により生成された販売情報を出力する出力工程と
を備えたことを特徴とする通信方法。
【請求項１３】
所定の情報に基づき、クレジットカード情報とは異なるクレジットカード情報に代わりクレジット決済を行なうための第１のクレジット代替情報を生成する生成処理と、
上記生成処理により生成された第１のクレジット代替情報を、上記クレジットカード情報が記録されたクレジットカードを所有するユーザの通信装置へ出力する出力処理と、
上記出力処理により出力された第１のクレジット代替情報を入力したユーザの通信装置から上記ユーザが購入を希望する所定の商品を販売する販売店の通信装置へ所定の商品の購入を希望する通知があった場合に、上記販売店の通信装置から上記クレジットカード情報に代わりクレジット決済を行なうための第２のクレジット代替情報を入力する入力処理と、
上記出力処理により出力された第１のクレジット代替情報と上記入力処理により入力された第２のクレジット代替情報とが所定の条件を満たすかどうかを判断する判断処理と、
上記判断処理により上記第１のクレジット代替情報と上記第２のクレジット代替情報とが上記所定の条件を満たすと判断された判断結果情報を上記販売店の通信装置に出力する出力処理と
をコンピュータに実行させるためのプログラム。
【請求項１４】
ユーザが所有するクレジットカードに記録されたクレジットカード情報に基づく上記クレジットカード情報とは異なるクレジット代替情報を受信する受信処理と、
購入を希望する所定の商品に関する商品情報とを入力する入力処理と、
上記受信処理により受信されたクレジット代替情報と上記入力処理により入力された商品情報とを上記所定の商品を販売する販売店の通信装置に送信する送信処理と、
上記販売店の通信装置が上記クレジットカードを発行した信販会社の通信装置より上記送信処理により送信されたクレジット代替情報に基づいてクレジット決済が許可された場合に、上記送信処理により送信されたクレジット代替情報と商品情報とに基づいた上記所定の商品を販売することを通知する販売情報を上記販売店の通信装置から受信する受信処理と
をコンピュータに実行させるためのプログラム。
【請求項１５】
ユーザが所有するクレジットカードに記録されたクレジットカード情報とは異なるクレジット代替情報と、上記クレジット代替情報が上記クレジットカードを発行した信販会社の通信装置により生成されたと判断された判断結果情報とを入力する入力処理と、
上記入力処理により入力された判断結果情報に基づき、上記ユーザが購入を希望する所定の商品を販売することを通知する販売情報を生成する生成処理と、
上記クレジットカードを発行した信販会社の通信装置に上記入力処理により入力されたクレジット代替情報を出力し、上記ユーザの通信装置に上記生成処理により生成された販売情報を出力する出力処理と
をコンピュータに実行させるためのプログラム。
【請求項１６】
所定の情報に基づき、クレジットカード情報とは異なるクレジットカード情報に代わりクレジット決済を行なうための第１のクレジット代替情報を生成する生成処理と、
上記生成処理により生成された第１のクレジット代替情報を、上記クレジットカード情報が記録されたクレジットカードを所有するユーザの通信装置へ出力する出力処理と、
上記出力処理により出力された第１のクレジット代替情報を入力したユーザの通信装置から上記ユーザが購入を希望する所定の商品を販売する販売店の通信装置へ所定の商品の購入を希望する通知があった場合に、上記販売店の通信装置から上記クレジットカード情報に代わりクレジット決済を行なうための第２のクレジット代替情報を入力する入力処理と、
上記出力処理により出力された第１のクレジット代替情報と上記入力処理により入力された第２のクレジット代替情報とが所定の条件を満たすかどうかを判断する判断処理と、
上記判断処理により上記第１のクレジット代替情報と上記第２のクレジット代替情報とが上記所定の条件を満たすと判断された判断結果情報を上記販売店の通信装置に出力する出力処理と
をコンピュータに実行させるためのプログラムを記録したコンピュータ読み取り可能な記録媒体。
【請求項１７】
ユーザが所有するクレジットカードに記録されたクレジットカード情報に基づく上記クレジットカード情報とは異なるクレジット代替情報を受信する受信処理と、
購入を希望する所定の商品に関する商品情報とを入力する入力処理と、
上記受信処理により受信されたクレジット代替情報と上記入力処理により入力された商品情報とを上記所定の商品を販売する販売店の通信装置に送信する送信処理と、
上記販売店の通信装置が上記クレジットカードを発行した信販会社の通信装置より上記送信処理により送信されたクレジット代替情報に基づいてクレジット決済が許可された場合に、上記送信処理により送信されたクレジット代替情報と商品情報とに基づいた上記所定の商品を販売することを通知する販売情報を上記販売店の通信装置から受信する受信処理と
をコンピュータに実行させるためのプログラムを記録したコンピュータ読み取り可能な記録媒体。
【請求項１８】
ユーザが所有するクレジットカードに記録されたクレジットカード情報とは異なるクレジット代替情報と、上記クレジット代替情報が上記クレジットカードを発行した信販会社の通信装置により生成されたと判断された判断結果情報とを入力する入力処理と、
上記入力処理により入力された判断結果情報に基づき、上記ユーザが購入を希望する所定の商品を販売することを通知する販売情報を生成する生成処理と、
上記クレジットカードを発行した信販会社の通信装置に上記入力処理により入力されたクレジット代替情報を出力し、上記ユーザの通信装置に上記生成処理により生成された販売情報を出力する出力処理と
をコンピュータに実行させるためのプログラムを記録したコンピュータ読み取り可能な記録媒体。
【発明の詳細な説明】
【０００１】
【発明の属する技術分野】
この発明は、通信装置又は決済方法又は通信方法又はコンピュータに実行させるためのプログラム又はコンピュータに実行させるためのプログラムを記録したコンピュータ読み取り可能な記録媒体に関する。
この発明は、通信装置を利用したクレジットカードでの決済方法に関する。
この発明はインターネット上での商品購入におけるクレジットカードでの決済方法に関わる。
【０００２】
【従来の技術】
クレジットカードは商店での商品購入時の決済手段として用いられており、インターネットの普及に伴い、インターネット上のネットショップでの商品購入の決済手段としての利用も飛躍的に増加してきている。しかし、商店での購入時にクレジットカードで決済する場合には本人確認の手段としてサインが求められるが、ネットショップで購入する場合にはサインが不要である。そのため、クレジットカード番号と住所などいくつかの個人情報が揃えば本人になりすまして使用することができる。そして、本人が使用していないことを証明するのが困難である。よって、安全上問題がある。クレジットカードの不正使用を防止する方式として、クレジットカードの利用時に事前に携帯電話を使用して信販会社からりＩＤを取得する方式が提案されている。（例えば、特許文献１参照）
【０００３】
【特許文献１】
特開２００２−４２０２８号公報
【０００４】
【発明が解決しようとする課題】
クレジットカードを使用して商品を購入する場合には、販売店に対してクレジットカードを通知する必要がある。インターネットを介して通信される情報を保護するために一般的にはＳＳＬ（Ｓｅｃｕｒｅ　Ｓｏｃｋｅｔｓ　Ｌａｙｅｒ）が利用されているため、クレジットカード番号が通信路から漏洩することがないが、利用した販売店にクレジットカード番号が保管される。本人認証にクレジットカード番号が使用される場合もあり、販売店に蓄積されたクレジットカード番号が不正に流出して悪用される危険がある。このため、特許文献１に提示されているように、不正な使用を防止するだけでなく、クレジットカード番号の通知を不要にする方が安全性が高い。
【０００５】
この発明は、クレジットカードの不正使用を防止するとともに、購入時に販売店へのクレジットカード番号の通知を不要にする決済方法を提供することを目的とする。
【０００６】
【課題を解決するための手段】
この発明に係る通信装置は、所定の情報に基づき、クレジットカード情報とは異なるクレジットカード情報に代わりクレジット決済を行なうための第１のクレジット代替情報を生成する生成部と、
上記生成部により生成された第１のクレジット代替情報を、上記クレジットカード情報が記録されたクレジットカードを所有するユーザの通信装置へ出力する出力部と、
上記出力部により出力された第１のクレジット代替情報を入力したユーザの通信装置から上記ユーザが購入を希望する所定の商品を販売する販売店の通信装置へ所定の商品の購入を希望する通知があった場合に、上記販売店の通信装置から上記クレジットカード情報に代わりクレジット決済を行なうための第２のクレジット代替情報を入力する入力部と、
上記出力部により出力された第１のクレジット代替情報と上記入力部により入力された第２のクレジット代替情報とが所定の条件を満たすかどうかを判断する判断部と
を備え、
上記出力部は、さらに、上記判断部により上記第１のクレジット代替情報と上記第２のクレジット代替情報とが上記所定の条件を満たすと判断された判断結果情報を上記販売店の通信装置に出力することを特徴とする。
【０００７】
上記通信装置は、さらに、上記ユーザの第１の署名情報を記憶する記憶部を備え、
上記第１のクレジット代替情報は、上記第１のクレジット代替情報の識別情報と信販会社の第１の署名情報とを有し、
上記第２のクレジット代替情報は、上記第２のクレジット代替情報の識別情報と信販会社の第２の署名情報と上記ユーザの第２の署名情報を有し、
上記判断部は、上記第１のクレジット代替情報の識別情報と上記第２のクレジット代替情報の識別情報とが、信販会社の第１の署名情報と信販会社の第２の署名情報とが、上記記憶部に記憶されたユーザの第１の署名情報と上記ユーザの第２の署名情報とがそれぞれ一致するかどうかを判断することを特徴とする。
【０００８】
上記第１のクレジット代替情報は、第１の販売店名と第１の使用金額と第１の使用期限との各情報を有し、
上記第２のクレジット代替情報は、第２の販売店名と第２の使用金額と第２の使用期限との各情報を有し、
上記判断部は、第１の販売店名と第２の販売店名とが一致し、第２の使用金額の値が第１の使用金額の値を超えていないかどうか、第２の使用期限の値が第１の使用期限の値を超えていないかどうかを判断することを特徴とする。
【０００９】
上記入力部は、上記所定の情報を上記ユーザが携帯する携帯電話端末から入力することを特徴とする。
【００１０】
この発明に係る通信装置は、ユーザが所有するクレジットカードに記録されたクレジットカード情報に基づく上記クレジットカード情報とは異なるクレジット代替情報を受信する受信部と、
購入を希望する所定の商品に関する商品情報とを入力する入力部と、
上記受信部により受信されたクレジット代替情報と上記入力部により入力された商品情報とを上記所定の商品を販売する販売店の通信装置に送信する送信部とを備え、
上記受信部は、上記販売店の通信装置が上記クレジットカードを発行した信販会社の通信装置より上記送信部により送信されたクレジット代替情報に基づいてクレジット決済が許可された場合に、上記送信部により送信されたクレジット代替情報と商品情報とに基づいた上記所定の商品を販売することを通知する販売情報を上記販売店の通信装置から受信することを特徴とする。
【００１１】
上記受信部は、上記クレジット代替情報として上記クレジットカードを発行した信販会社の通信装置よりクレジット代替情報の識別情報とクレジット条件情報とを受信し、
上記通信装置は、さらに、上記受信部により受信されたクレジット条件情報に対し上記ユーザにユーザの署名の入力を促し、入力されたユーザの署名に基づき上記ユーザの署名情報を生成する生成部を備え、
上記送信部は、さらに、上記生成部により生成されたユーザの署名情報を上記販売店の通信装置に送信し、
上記受信部は、上記販売情報として、上記送信部により送信されたクレジット代替情報と商品情報とユーザの署名情報とに基づいた上記所定の商品を販売することを通知する販売情報を受信することを特徴とする。
【００１２】
この発明に係る通信装置は、ユーザが所有するクレジットカードに記録されたクレジットカード情報とは異なるクレジット代替情報と、上記クレジット代替情報が上記クレジットカードを発行した信販会社の通信装置により生成されたと判断された判断結果情報とを入力する入力部と、
上記入力部により入力された判断結果情報に基づき、上記ユーザが購入を希望する所定の商品を販売することを通知する販売情報を生成する生成部と、
上記クレジットカードを発行した信販会社の通信装置に上記入力部により入力されたクレジット代替情報を出力し、上記ユーザの通信装置に上記生成部により生成された販売情報を出力する出力部と
を備えたことを特徴とする。
【００１３】
この発明に係る決済方法は、クレジットカードを用いて商取引の決済をする決済方法において、
署名機能を有するユーザの通信端末より、事前に信販会社の端末にクレジットカードの利用を申請するステップと、
上記申請に基づき信販会社の端末が購入ＩＤを発行し、発行された購入ＩＤに信販会社の署名を添付してユーザの通信端末に送信するステップと、
前記購入ＩＤに対し、さらにユーザの通信端末によりユーザの署名を添付するステップと、
ユーザの通信端末から販売店の端末に対して、所定の商品の購入申し込みを行う際に、前記購入ＩＤと信販会社の署名とユーザの署名とを送信するステップと、
販売店の端末から信販会社の端末に前記購入ＩＤと信販会社の署名とユーザの署名とを送信するステップと、
信販会社の端末が前記購入ＩＤと信販会社の署名とユーザの署名とを検証するステップと
を備えたことを特徴とする。
【００１４】
上記通信端末は、携帯電話であることを特徴とする。
【００１５】
この発明に係る通信方法は、所定の情報に基づき、クレジットカード情報とは異なるクレジットカード情報に代わりクレジット決済を行なうための第１のクレジット代替情報を生成する生成工程と、
上記生成工程により生成された第１のクレジット代替情報を、上記クレジットカード情報が記録されたクレジットカードを所有するユーザの通信装置へ出力する出力工程と、
上記出力工程により出力された第１のクレジット代替情報を入力したユーザの通信装置から上記ユーザが購入を希望する所定の商品を販売する販売店の通信装置へ所定の商品の購入を希望する通知があった場合に、上記販売店の通信装置から上記クレジットカード情報に代わりクレジット決済を行なうための第２のクレジット代替情報を入力する入力工程と、
上記出力工程により出力された第１のクレジット代替情報と上記入力工程により入力された第２のクレジット代替情報とが所定の条件を満たすかどうかを判断する判断工程と、
上記判断工程により上記第１のクレジット代替情報と上記第２のクレジット代替情報とが上記所定の条件を満たすと判断された判断結果情報を上記販売店の通信装置に出力する出力工程と
を備えたことを特徴とする。
【００１６】
この発明に係る通信方法は、ユーザが所有するクレジットカードに記録されたクレジットカード情報に基づく上記クレジットカード情報とは異なるクレジット代替情報を受信する受信工程と、
購入を希望する所定の商品に関する商品情報とを入力する入力工程と、
上記受信工程により受信されたクレジット代替情報と上記入力工程により入力された商品情報とを上記所定の商品を販売する販売店の通信装置に送信する送信工程と、
上記販売店の通信装置が上記クレジットカードを発行した信販会社の通信装置より上記送信工程により送信されたクレジット代替情報に基づいてクレジット決済が許可された場合に、上記送信工程により送信されたクレジット代替情報と商品情報とに基づいた上記所定の商品を販売することを通知する販売情報を上記販売店の通信装置から受信する受信工程と
を備えたことを特徴とする。
【００１７】
この発明に係る通信方法は、ユーザが所有するクレジットカードに記録されたクレジットカード情報とは異なるクレジット代替情報と、上記クレジット代替情報が上記クレジットカードを発行した信販会社の通信装置により生成されたと判断された判断結果情報とを入力する入力工程と、
上記入力工程により入力された判断結果情報に基づき、上記ユーザが購入を希望する所定の商品を販売することを通知する販売情報を生成する生成工程と、
上記クレジットカードを発行した信販会社の通信装置に上記入力工程により入力されたクレジット代替情報を出力し、上記ユーザの通信装置に上記生成工程により生成された販売情報を出力する出力工程と
を備えたことを特徴とする。
【００１８】
この発明に係るプログラムは、所定の情報に基づき、クレジットカード情報とは異なるクレジットカード情報に代わりクレジット決済を行なうための第１のクレジット代替情報を生成する生成処理と、
上記生成処理により生成された第１のクレジット代替情報を、上記クレジットカード情報が記録されたクレジットカードを所有するユーザの通信装置へ出力する出力処理と、
上記出力処理により出力された第１のクレジット代替情報を入力したユーザの通信装置から上記ユーザが購入を希望する所定の商品を販売する販売店の通信装置へ所定の商品の購入を希望する通知があった場合に、上記販売店の通信装置から上記クレジットカード情報に代わりクレジット決済を行なうための第２のクレジット代替情報を入力する入力処理と、
上記出力処理により出力された第１のクレジット代替情報と上記入力処理により入力された第２のクレジット代替情報とが所定の条件を満たすかどうかを判断する判断処理と、
上記判断処理により上記第１のクレジット代替情報と上記第２のクレジット代替情報とが上記所定の条件を満たすと判断された判断結果情報を上記販売店の通信装置に出力する出力処理と
をコンピュータに実行させるためのプログラムであることを特徴とする。
【００１９】
この発明に係るプログラムは、ユーザが所有するクレジットカードに記録されたクレジットカード情報に基づく上記クレジットカード情報とは異なるクレジット代替情報を受信する受信処理と、
購入を希望する所定の商品に関する商品情報とを入力する入力処理と、
上記受信処理により受信されたクレジット代替情報と上記入力処理により入力された商品情報とを上記所定の商品を販売する販売店の通信装置に送信する送信処理と、
上記販売店の通信装置が上記クレジットカードを発行した信販会社の通信装置より上記送信処理により送信されたクレジット代替情報に基づいてクレジット決済が許可された場合に、上記送信処理により送信されたクレジット代替情報と商品情報とに基づいた上記所定の商品を販売することを通知する販売情報を上記販売店の通信装置から受信する受信処理と
をコンピュータに実行させるためのプログラムであることを特徴とする。
【００２０】
この発明に係るプログラムは、ユーザが所有するクレジットカードに記録されたクレジットカード情報とは異なるクレジット代替情報と、上記クレジット代替情報が上記クレジットカードを発行した信販会社の通信装置により生成されたと判断された判断結果情報とを入力する入力処理と、
上記入力処理により入力された判断結果情報に基づき、上記ユーザが購入を希望する所定の商品を販売することを通知する販売情報を生成する生成処理と、
上記クレジットカードを発行した信販会社の通信装置に上記入力処理により入力されたクレジット代替情報を出力し、上記ユーザの通信装置に上記生成処理により生成された販売情報を出力する出力処理と
をコンピュータに実行させるためのプログラムであることを特徴とする。
【００２１】
この発明に係るコンピュータ読み取り可能な記録媒体は、所定の情報に基づき、クレジットカード情報とは異なるクレジットカード情報に代わりクレジット決済を行なうための第１のクレジット代替情報を生成する生成処理と、
上記生成処理により生成された第１のクレジット代替情報を、上記クレジットカード情報が記録されたクレジットカードを所有するユーザの通信装置へ出力する出力処理と、
上記出力処理により出力された第１のクレジット代替情報を入力したユーザの通信装置から上記ユーザが購入を希望する所定の商品を販売する販売店の通信装置へ所定の商品の購入を希望する通知があった場合に、上記販売店の通信装置から上記クレジットカード情報に代わりクレジット決済を行なうための第２のクレジット代替情報を入力する入力処理と、
上記出力処理により出力された第１のクレジット代替情報と上記入力処理により入力された第２のクレジット代替情報とが所定の条件を満たすかどうかを判断する判断処理と、
上記判断処理により上記第１のクレジット代替情報と上記第２のクレジット代替情報とが上記所定の条件を満たすと判断された判断結果情報を上記販売店の通信装置に出力する出力処理と
をコンピュータに実行させるためのプログラムを記録したことを特徴とする。
【００２２】
この発明に係るコンピュータ読み取り可能な記録媒体は、ユーザが所有するクレジットカードに記録されたクレジットカード情報に基づく上記クレジットカード情報とは異なるクレジット代替情報を受信する受信処理と、
購入を希望する所定の商品に関する商品情報とを入力する入力処理と、
上記受信処理により受信されたクレジット代替情報と上記入力処理により入力された商品情報とを上記所定の商品を販売する販売店の通信装置に送信する送信処理と、
上記販売店の通信装置が上記クレジットカードを発行した信販会社の通信装置より上記送信処理により送信されたクレジット代替情報に基づいてクレジット決済が許可された場合に、上記送信処理により送信されたクレジット代替情報と商品情報とに基づいた上記所定の商品を販売することを通知する販売情報を上記販売店の通信装置から受信する受信処理と
をコンピュータに実行させるためのプログラムを記録したことを特徴とする。
【００２３】
この発明に係るコンピュータ読み取り可能な記録媒体は、ユーザが所有するクレジットカードに記録されたクレジットカード情報とは異なるクレジット代替情報と、上記クレジット代替情報が上記クレジットカードを発行した信販会社の通信装置により生成されたと判断された判断結果情報とを入力する入力処理と、
上記入力処理により入力された判断結果情報に基づき、上記ユーザが購入を希望する所定の商品を販売することを通知する販売情報を生成する生成処理と、
上記クレジットカードを発行した信販会社の通信装置に上記入力処理により入力されたクレジット代替情報を出力し、上記ユーザの通信装置に上記生成処理により生成された販売情報を出力する出力処理と
をコンピュータに実行させるためのプログラムを記録したことを特徴とする。
【００２４】
【発明の実施の形態】
実施の形態１．
図１は、実施の形態１の決済システムの概要構成を示す図である。
図１において、１は、インターネットを使用して商品を購入する利用者ＰＣ（Ｐｅｒｓｏｎａｌ　Ｃｏｍｐｕｔｏｒ）（ユーザの通信装置、ユーザの通信端末の一例である）、２は、利用者携帯電話（ユーザの通信装置、ユーザの通信端末の一例である）であり内部にＳＩＭ（Ｓｕｂｓｃｒｉｂｅｒ　ＩｄｅｎｔｉｔｙＭｏｄｕｌｅ）カードを保持する。本説明ではＳＩＭカードとするが、ＵＩＭ（Ｕｓｅｒ　Ｉｄｅｎｔｉｔｙ　Ｍｏｄｕｌｅ）、ＩＣ（ＩｎｔｅｇｒａｔｅｄＣｉｒｃｕｉｔ）カードなど他の署名機能を有するデバイスであれば利用可能である。３は、販売店の通信装置（販売店の端末の一例である）であり、インターネット上で購入受付を行うコンピュータを保有する。４は、信販会社の通信装置（信販会社の端末の一例である）であり、ユーザ管理機能、購入ＩＤ（Ｉｄｅｎｔｉｆｉｅｒ）管理機能、署名機能をもつコンピュータを保有する。５は、通信事業者の通信装置であり、６は、通信事業者の基地局である。１１は、インターネット、１２は、専用回線、１３は、公衆回線、１４は、無線通信網、１５は、無線ＬＡＮ（Ｌｏｃａｌ　Ａｒｅａ　Ｎｅｔｗｏｒｋ）である。本説明では無線ＬＡＮとしているが、ブルートゥースなど他の通信網の利用も可能である。利用者携帯電話２、販売店の通信装置３、信販会社の通信装置４には、公開鍵暗号方式に基づく公開鍵と秘密鍵および認証局が発行した公開鍵証明書とルート証明書とが発行されている。５０は、ユーザの通信装置である。利用者ＰＣ１と利用者携帯電話２とは、ユーザの通信装置５０の一例である。
【００２５】
図２は、信販会社の通信装置の構成を示す図である。
図２において、４０１は、生成部、４０２は、出力部、４０３は、入力部、４０４は、判断部、４０５は、記憶部である。信販会社の通信装置４は、生成部４０１、出力部４０２、入力部４０３、判断部４０４、記憶部４０５を備えている。
【００２６】
図３は、ユーザの通信装置の構成を示す図である。
図３において、５０１は、受信部、５０２は、入力部、５０３は、送信部、５０４は、生成部である。本実施の形態１では、利用者ＰＣ１が受信部５０１、入力部５０２、送信部５０３、生成部５０４を備えている。そして、利用者携帯電話２が受信部５０１、入力部５０２、送信部５０３を備えている。また、利用者ＰＣ１と利用者携帯電話２との２つの通信装置間が相互に通信できることを前提にして、利用者ＰＣ１と利用者携帯電話２との２つの通信装置を１つのユーザの通信装置５０として、受信部５０１、入力部５０２、送信部５０３、生成部５０４を備えていても構わない。
【００２７】
図４は、販売店の通信装置の構成を示す図である。
図４において、３０１は、入力部、３０２は、生成部、３０３は、出力部である。販売店の通信装置３は、入力部３０１、生成部３０２、出力部３０３を備えている。
【００２８】
図５は、実施の形態１における処理を示す図である。
図５を用いて、利用者がインターネットを使用して商品を購入する処理を説明する。
ステップＳ１において、利用者はクレジットカードを使用して商品を購入する際に、利用者携帯電話２から信販会社の通信装置４に対してクレジットカード利用申請（データＤ１）を行う。利用者携帯電話２と信販会社の通信装置４の間の通信には通信事業者の通信装置５が介在するが、通信事業者の通信装置５は通信されるデータに対して関与しないため以降の説明では通信事業者の通信装置５は省略する。
ステップ２において、信販会社の通信装置４は、利用者携帯電話２から受け取ったクレジットカード利用申請に対して購入ＩＤを発行する（データＤ２を利用者携帯電話２に送信する）。
ステップＳ３において、利用者携帯電話２は、信販会社の通信装置４から送信されたデータＤ２に署名を生成する。利用者携帯電話２は、データＤ２に利用者署名と信販会社名を添付したデータＤ３を無線ＬＡＮにより利用者ＰＣ１に送信する。そして、利用者ＰＣ１は、利用者ＰＣ１から販売店の通信装置３に対して購入申し込みデータＤ４を送信する。
ステップＳ４において、販売店の通信装置３は、利用者ＰＣ１から受け取ったデータＤ４から信販会社名を取り出し、データＤ５を該当する信販会社の通信装置４に送信する。
ステップＳ５において、信販会社の通信装置４は、販売店の通信装置３から受け取ったデータＤ５を検証する。信販会社の通信装置４は、検証し、データＤ５が正当である場合には、販売店の通信装置３に使用許可を通知する。データＤ５が不正な場合には、販売店の通信装置３に使用不許可を通知する。
ステップＳ６において、販売店の通信装置３は、信販会社の通信装置４から使用許可通知を受け取った場合には購入処理を行い、利用者ＰＣ１に送信する。販売店の通信装置３は、使用不許可通知を受け取った場合にはエラー通知を利用者ＰＣ１に送信する。
【００２９】
図６は、実施の形態１における利用者携帯電話の処理を示すフローチャート図である。
図６では、図５におけるステップＳ１の詳細を説明する。
ステップＳ１１において、利用者は、利用者携帯電話２を使用して信販会社の通信装置４に接続する。
ステップＳ１２において、利用者携帯電話２は、ＳＩＭカードのＰＩＮを入力する。
ステップＳ１３において、利用者携帯電話２と信販会社の通信装置４とは、利用者携帯電話２と信販会社の通信装置４との間でＳＳＬ（Ｓｅｃｕｒｅ　Ｓｏｃｋｅｔｓ　Ｌａｙｅｒ）を使用してサーバ認証、クライアント認証を行い、認証に失敗した場合には処理を終了する。認証に成功すると以後の通信データはすべて暗号化される。
ステップＳ１４において、利用者携帯電話２は、クレジットカード番号（クレジットカード情報の一例である）を入力する。
ステップＳ１５において、利用者携帯電話２は、クレジットカード番号を信販会社の通信装置４に送信し、認証が失敗した場合には処理を終了する。
ステップＳ１６において、利用者携帯電話２における入力部５０２は、販売店名（商品情報の一例である）、使用金額（商品情報の一例である）、使用期限（商品情報の一例である）を入力する。利用者携帯電話２における送信部５０３は、販売店名、使用金額、使用期限をデータＤ１として信販会社の通信装置４に送信する。
図７は、実施の形態１におけるデータを示す図である。
図７においては、データＤ１として、販売店（名）、（使用）金額、購入（使用）期限を示している。
【００３０】
図８は、実施の形態１における信販会社の通信装置の処理を示すフローチャート図である。
図８では、図５におけるステップＳ２の詳細を説明する。
ステップ２１において、信販会社の通信装置４は、図６におけるステップＳ１３と同様に利用者携帯電話２との間でＳＳＬを使用してサーバ認証、クライアント認証を行い、失敗した場合には処理を終了する。
ステップＳ２２において、信販会社の通信装置４における入力部４０３は、利用者携帯電話２からクレジットカード番号（所定の情報の一例である）を受け取る。
ステップＳ２３において、信販会社の通信装置４は、クレジットカード番号認証を行ない、失敗した場合には処理を終了する。クレジットカード番号が正当な場合にはステップＳ２４に進む。
ステップＳ２４において、信販会社の通信装置４における入力部４０３は、クレジットカード番号が正当な場合に、利用者携帯電話２からデータＤ１（所定の情報の一例である）を受け取る。
ステップＳ２５において、信販会社の通信装置４における生成部４０１は、購入ＩＤ（クレジット代替情報の識別情報の一例である）を発行し、データベースに格納する。購入ＩＤは例えば１から始めて発行するごとに１ずつ増加させるようにして信販会社の通信装置４内で一意になるように発行する。
ステップＳ２６において、信販会社の通信装置４における生成部４０１は、データＤ１と購入ＩＤに対して信販会社の通信装置４の秘密鍵により署名を生成する。生成部４０１は、データＤ１に購入ＩＤと信販会社署名を添付したデータＤ２（クレジット代替情報、第１のクレジット代替情報の一例である）を生成する。
ステップＳ２７において、信販会社の通信装置４における出力部４０２は、データＤ１に購入ＩＤと信販会社署名を添付したデータＤ２を利用者携帯電話２に送信する。
図９は、実施の形態１におけるデータを示す図である。
図９においては、データＤ２として、販売店（名）、（使用）金額、購入（使用）期限、購入ＩＤ、信販会社署名を示している。
【００３１】
図１０は、実施の形態１における利用者携帯電話の処理を示すフローチャート図である。
図１０では、図５におけるステップＳ３の詳細を説明する。
ステップＳ３１において、利用者携帯電話２における受信部５０１は、信販会社の通信装置４から送信されたデータＤ２を受け取る。
ステップＳ３２において、利用者携帯電話２は、データＤ２中の販売店（クレジット条件情報の一例である）、金額（クレジット条件情報の一例である）、購入（利用）期限（クレジット条件情報の一例である）が正しいかを確認する。そして、利用者携帯電話２は、データＤ２中の信販会社署名を検証し、内容および署名が不正であれば処理を終了する。
ステップＳ３３において、利用者携帯電話２における生成部５０４は、利用者携帯電話２のＳＩＭカードを使用してデータＤ２に対して利用者署名（ユーザの署名情報の一例である）を生成する。
ステップＳ３４において、利用者携帯電話２は、データＤ２に利用者署名と信販会社名を添付したデータＤ３（クレジット代替情報の一例である）を無線ＬＡＮにより利用者ＰＣ１に送信する。そして、利用者ＰＣ１における送信部５０３は、利用者ＰＣ１から販売店の通信装置３に対してデータＤ３に利用者名、商品名（商品情報の一例である）、購入金額（商品情報の一例である）を添付した購入申し込みデータＤ４を送信する。
図１１は、実施の形態１におけるデータを示す図である。
図１１においては、データＤ３として、販売店（名）、（使用）金額、購入（使用）期限、購入ＩＤ、信販会社署名、利用者署名、信販会社名を示している。
図１２は、実施の形態１におけるデータを示す図である。
図１２においては、データＤ４として、販売店（名）、（使用）金額、購入（使用）期限、購入ＩＤ、信販会社署名、利用者署名、信販会社名、利用者名、商品名、購入金額を示している。
図１２に示すように、データＤ４はデータＤ３に氏名など利用者の情報や購入する商品名、金額などの購入情報を合わせたデータである。
【００３２】
そして、図５におけるステップＳ４において、販売店の通信装置３は、利用者ＰＣ１から受け取ったデータＤ４から信販会社名を取り出し、データＤ５（クレジット代替情報、第２のクレジット代替情報の一例である）を該当する信販会社の通信装置４に送信する。
図１３は、実施の形態１におけるデータを示す図である。
図１３においては、データＤ５として、販売店（名）、（使用）金額、購入（使用）期限、購入ＩＤ、信販会社署名、利用者署名、利用者名、商品名、購入金額を示している。
【００３３】
図１４は、実施の形態１における信販会社の通信装置の処理を示すフローチャート図である。
図１４では、図５におけるＳ６の詳細を説明する。
ステップＳ４１において、信販会社の通信装置４における入力部４０３は、販売店の通信装置３からデータＤ５を受け取る。
ステップＳ４２において、信販会社の通信装置４における判断部４０４は、データＤ５中の購入ＩＤ（第２のクレジット代替情報の識別情報の一例である）がデータベースに登録されているか検索し、登録されていなければステップＳ４８に進む。
ステップＳ４３において、信販会社の通信装置４における判断部４０４は、データベースに購入ＩＤ（第１のクレジット代替情報の識別情報の一例である）が登録されている場合、すなわち、データベースに登録されている購入ＩＤとデータＤ５中の購入ＩＤとが一致する場合、（１）データＤ５中の販売店（第２の販売店名の一例である）とデータＤ２を送信した販売店（第１の販売店名の一例である）が一致するか、（２）データＤ５中の購入金額（第２の使用金額の一例である）が利用者が設定した金額（第１の使用金額の一例である）を超えていないか（３）データＤ５中の使用期限（第２の使用期限の一例である）が利用者が設定した使用期限（第１の使用期限の一例である）を過ぎていないかを確認し、いずれかが不正であればステップＳ４８に進む。
ステップＳ４４において、信販会社の通信装置４における判断部４０４は、データＤ５中の利用者署名（ユーザの第２の署名情報の一例である）を検証する。利用者署名が不正な場合にはステップＳ４８に進む。ここで、信販会社の通信装置４における記憶部４０５は、利用者署名（ユーザの第１の署名情報の一例である）を記憶している。
ステップＳ４５において、信販会社の通信装置４における判断部４０４は、データＤ５中の信販会社署名（信販会社の第２の署名情報の一例である）を検証する。信販会社署名が不正な場合にはステップＳ４８に進む。
ステップＳ４６において、信販会社の通信装置４は、信販会社署名が正当である場合に、データＤ５中の購入ＩＤをデータベースから削除する。
ステップＳ４７において、信販会社の通信装置４における出力部４０２は、販売店の通信装置３に使用許可（判断結果情報の一例である）を通知する。
ステップＳ４８において、信販会社の通信装置４は、ステップＳ４２〜ステップＳ４５においていずれかのデータが不正な場合には販売店の通信装置３に使用不可（判断結果情報の一例である）を通知する。
【００３４】
そして、販売店の通信装置３における生成部３０２は、上記入力部３０１により入力された判断結果情報に基づき、上記ユーザが購入を希望する所定の商品を販売することを通知する販売情報を生成する。
そして、販売店の通信装置３における出力部３０３は、上記ユーザの通信装置である利用者ＰＣ１に上記生成部３０２により生成された販売情報を出力する。
上記ユーザの通信装置である利用者ＰＣ１における受信部５０１は、上記販売店の通信装置３が上記クレジットカードを発行した信販会社の通信装置４より上記送信部５０３により送信されたクレジット代替情報の一例であるデータＤ３或いはデータＤ４に基づいてクレジット決済が許可された場合に、上記送信部５０３により送信されたクレジット代替情報の一例であるデータＤ３と商品情報とに基づいた上記所定の商品を販売することを通知する販売情報を上記販売店の通信装置３から受信する。
【００３５】
以上のように、実施の形態１における信販会社の通信装置４は、
所定の情報に基づき、クレジットカード情報とは異なるクレジットカード情報に代わりクレジット決済を行なうための第１のクレジット代替情報を生成する生成部４０１と、
上記生成部４０１により生成された第１のクレジット代替情報を、上記クレジットカード情報が記録されたクレジットカードを所有するユーザの通信装置５０へ出力する出力部４０２と、
上記出力部４０２により出力された第１のクレジット代替情報を入力したユーザの通信装置５０から上記ユーザが購入を希望する所定の商品を販売する販売店の通信装置３へ所定の商品の購入を希望する通知があった場合に、上記販売店の通信装置３から上記クレジットカード情報に代わりクレジット決済を行なうための第２のクレジット代替情報を入力する入力部４０３と、
上記出力部４０２により出力された第１のクレジット代替情報と上記入力部４０３により入力された第２のクレジット代替情報とが所定の条件を満たすかどうかを判断する判断部４０４と
を備え、
上記出力部４０２は、さらに、上記判断部４０４により上記第１のクレジット代替情報と上記第２のクレジット代替情報とが上記所定の条件を満たすと判断された判断結果情報を上記販売店の通信装置３に出力することを特徴とする。
【００３６】
また、実施の形態１における信販会社の通信装置４は、さらに、上記ユーザの第１の署名情報を記憶する記憶部４０５を備え、
上記第１のクレジット代替情報は、上記第１のクレジット代替情報の識別情報と信販会社の第１の署名情報とを有し、
上記第２のクレジット代替情報は、上記第２のクレジット代替情報の識別情報と信販会社の第２の署名情報と上記ユーザの第２の署名情報を有し、
上記判断部４０４は、上記第１のクレジット代替情報の識別情報と上記第２のクレジット代替情報の識別情報とが、信販会社の第１の署名情報と信販会社の第２の署名情報とが、上記記憶部に記憶されたユーザの第１の署名情報と上記ユーザの第２の署名情報とがそれぞれ一致するかどうかを判断することを特徴とする。
【００３７】
また、上記第１のクレジット代替情報は、第１の販売店名と第１の使用金額と第１の使用期限との各情報を有し、
上記第２のクレジット代替情報は、第２の販売店名と第２の使用金額と第２の使用期限との各情報を有し、
上記判断部４０４は、第１の販売店名と第２の販売店名とが一致し、第２の使用金額の値が第１の使用金額の値を超えていないかどうか、第２の使用期限の値が第１の使用期限の値を超えていないかどうかを判断することを特徴とする。
【００３８】
また、上記入力部４０３は、上記所定の情報を上記ユーザが携帯する携帯電話端末である利用者携帯電話２から入力することを特徴とする。
【００３９】
また、以上のように、実施の形態１におけるユーザの通信装置５０は、
ユーザが所有するクレジットカードに記録されたクレジットカード情報に基づく上記クレジットカード情報とは異なるクレジット代替情報を受信する受信部５０１と、
購入を希望する所定の商品に関する商品情報とを入力する入力部５０２と、
上記受信部５０１により受信されたクレジット代替情報と上記入力部５０２により入力された商品情報とを上記所定の商品を販売する販売店の通信装置に送信する送信部５０３と
を備え、
上記受信部５０１は、上記販売店の通信装置３が上記クレジットカードを発行した信販会社の通信装置４より上記送信部５０３により送信されたクレジット代替情報に基づいてクレジット決済が許可された場合に、上記送信部５０３により送信されたクレジット代替情報と商品情報とに基づいた上記所定の商品を販売することを通知する販売情報を上記販売店の通信装置３から受信することを特徴とする。
【００４０】
また、上記受信部５０１は、上記クレジット代替情報として上記クレジットカードを発行した信販会社の通信装置４よりクレジット代替情報の識別情報とクレジット条件情報とを受信し、
上記ユーザの通信装置５０は、さらに、上記受信部５０１により受信されたクレジット条件情報に対し上記ユーザにユーザの署名の入力を促し、入力されたユーザの署名に基づき上記ユーザの署名情報を生成する生成部５０４を備え、
上記送信部５０３は、さらに、上記生成部５０４により生成されたユーザの署名情報を上記販売店の通信装置に送信し、
上記受信部５０１は、上記販売情報として、上記送信部５０３により送信されたクレジット代替情報と商品情報とユーザの署名情報とに基づいた上記所定の商品を販売することを通知する販売情報を受信することを特徴とする。
【００４１】
また、以上のように、実施の形態１における販売店の通信装置３は、
ユーザが所有するクレジットカードに記録されたクレジットカード情報とは異なるクレジット代替情報と、上記クレジット代替情報が上記クレジットカードを発行した信販会社の通信装置４により生成されたと判断された判断結果情報とを入力する入力部３０１と、
上記入力部３０１により入力された判断結果情報に基づき、上記ユーザが購入を希望する所定の商品を販売することを通知する販売情報を生成する生成部３０２と、
上記クレジットカードを発行した信販会社の通信装置４に上記入力部３０１により入力されたクレジット代替情報を出力し、上記ユーザの通信装置５０に上記生成部３０２により生成された販売情報を出力する出力部３０３と
を備えたことを特徴とする。
【００４２】
また、以上のように、実施の形態１におけるクレジットカードを用いて商取引の決済をする決済方法は、
署名機能を有するユーザの通信端末より、事前に信販会社の端末にクレジットカードの利用を申請するステップと、
上記申請に基づき信販会社の端末が購入ＩＤを発行し、発行された購入ＩＤに信販会社の署名を添付してユーザの通信端末に送信するステップと、
前記購入ＩＤに対し、さらにユーザの通信端末によりユーザの署名を添付するステップと、
ユーザの通信端末から販売店の端末に対して、所定の商品の購入申し込みを行う際に、前記購入ＩＤと信販会社の署名とユーザの署名とを送信するステップと、
販売店の端末から信販会社の端末に前記購入ＩＤと信販会社の署名とユーザの署名とを送信するステップと、
信販会社の端末が前記購入ＩＤと信販会社の署名とユーザの署名とを検証するステップと
を備えたことを特徴とする。
【００４３】
以上のように、本実施の形態１によれば、クレジットカード番号は利用者携帯電話２から信販会社の通信装置４に暗号化された通信路を利用して送信されるのみであり、販売店の通信装置３への通知が不要になるという効果が得られる。また、信販会社および利用者が署名を添付することにより不正にクレジットカードが使用されることを防止できるとともに利用者の否認を防止できるという効果を得ることができる。
【００４４】
実施の形態２．
図１５は、実施の形態２の決済システムの概要構成を示す図である。
図１５において、２ａは、利用者携帯電話である。
図１５において、図１に示した実施の形態１の構成要素と同一の構成要素には同一の番号を付し、その説明を省略する。
図１５において利用者携帯電話２ａは一般的なＰＣの機能を備えた携帯電話であり、販売店の通信装置３への購入申し込みも利用者携帯電話２ａを用いて行う。
以上のように、この実施の形態２によれば、携帯電話のみで販売店にクレジットカード番号を通知することなく安全にクレジットカードを使用して商品を購入できるという効果が得られる。
【００４５】
実施の形態３．
図１６は、実施の形態３の決済システムの概要構成を示す図である。
図１６において、１ａは、利用者ＰＣ、４ａは、信販会社の通信装置、７は、ＩＣカードリーダである。
図１６において、図１に示した実施の形態１の構成要素と同一の構成要素には同一の番号を付し、その説明を省略する。
図１６において、利用者ＰＣ１ａにはＩＣカードリーダ７が接続されており、ＩＣカードを使用して署名を生成する機能を有する。信販会社の通信装置４ａとの間はインターネット１１を介して通信を行う。
以上のように、この実施の形態３によれば、携帯電話を保有していない場合でも販売店にクレジットカード番号を通知することなく安全にクレジットカードを使用して商品を購入できるという効果が得られる。
【００４６】
実施の形態４．
図１７は、実施の形態４の決済システムの概要構成を示す図である。
図１７において、３ａは、販売店の通信装置である。
図１７において、図１に示した実施の形態１の構成要素と同一の構成要素には同一の番号を付し、その説明を省略する。
図１７において、販売店の通信装置３ａは、利用者携帯電話２と通信する。販売店の通信装置３ａは、販売店の店頭で利用者携帯電話２から前記データＤ４を受け取る。
以上のように、この実施の形態４によれば、店頭においても携帯電話を使用してクレジットカードを提示することなく安全にクレジットカードを使用して商品を購入できるという効果が得られる。
【００４７】
以上のように、上記実施の形態１におけるクレジットカードを用いて商取引の決済をするシステムにおいて、クレジットカード利用者が署名機能を有する携帯電話を有し、事前に利用者の携帯電話から信販会社にクレジットカードの利用を申請するステップと、信販会社が購入ＩＤを発行し、購入ＩＤに信販会社の署名を添付するステップと、前記購入ＩＤにさらに利用者の形態電話で署名を添付するステップと、利用者携帯電話２から利用者ＰＣ１に前記購入ＩＤと署名を転送するステップと、利用者ＰＣから販売点に対して購入申し込みを行う際に前記購入ＩＤと署名を添付するステップと、販売店から信販会社に前記購入ＩＤと署名を送信するステップと、信販会社が前記購入ＩＤと署名を検証するステップを含むことにより、上記実施の形態１では、クレジットカード番号を販売店に通知することを不要にすることができる。また、上記実施の形態２，４においては、利用者携帯電話２から利用者ＰＣ１に前記購入ＩＤと署名を転送することなく直接、販売点に対して購入申し込みを行う際に前記購入ＩＤと署名を添付するステップにすることにより、クレジットカード番号を販売店に通知することを不要にすることができる。また、上記実施の形態３においては、事前に利用者ＰＣ１から信販会社にクレジットカードの利用を申請するステップと、前記購入ＩＤにさらに利用者ＰＣ１で署名を添付するステップとにして、利用者携帯電話２から利用者ＰＣ１に前記購入ＩＤと署名を転送するステップを削除することにより、クレジットカード番号を販売店に通知することを不要にすることができる。
【００４８】
以上のように実施の形態１，２，４は、暗号機能と署名機能を備えた携帯電話を使用することにより、実施の形態３は、暗号機能と署名機能を備えたＰＣを使用することにより、クレジットカードの不正使用を防止するとともに、購入時に販売店へのクレジットカード番号の通知を不要にする決済方法を提供することができる。
【００４９】
以上のように、実施の形態１におけるクレジットカードを用いた商取引の決済方法は、クレジットカードを用いて商取引の決済をするシステムにおいて、クレジットカード利用者が署名機能を有する携帯電話を有し、事前に利用者の携帯電話から信販会社にクレジットカードの利用を申請するステップと、信販会社が購入ＩＤを発行し、購入ＩＤに信販会社の署名を添付するステップと、前記購入ＩＤにさらに利用者の形態電話で署名を添付するステップと、利用者携帯電話から利用者ＰＣに前記購入ＩＤと署名を転送するステップと、利用者ＰＣから販売点に対して購入申し込みを行う際に前記購入ＩＤと署名を添付するステップと、販売店から信販会社に前記購入ＩＤと署名を送信するステップと、信販会社が前記購入ＩＤと署名を検証するステップを含む方法である。
【００５０】
また、実施の形態２，４におけるクレジットカードを用いた商取引の決済方法は、実施の形態１について前記携帯電話が前記利用者ＰＣ１の機能を有し、携帯電話から販売店へ購入申し込みを行うステップを含む方法である。
【００５１】
また、実施の形態４におけるクレジットカードを用いた商取引の決済方法は、実施の形態１について前記利用者ＰＣ１がＩＣカードリーダを有し、前記携帯電話の機能を有し、信販会社との間で購入ＩＤを取得するステップを含む方法である。
【００５２】
以上の説明において、各実施の形態の説明において「〜部」として説明したものは、一部或いはすべてコンピュータで動作可能なプログラムにより構成することができる。これらのプログラムは、例えば、Ｃ言語により作成することができる。或いは、ＨＴＭＬやＳＧＭＬやＸＭＬを用いても構わない。或いは、ＪＡＶＡ（登録商標）を用いて画面表示を行っても構わない。
また、各実施の形態の説明において「〜部」として説明したものは、ＲＯＭに記憶されたファームウェアで実現されていても構わない。或いは、ソフトウェア或いは、ハードウェア或いは、ソフトウェアとハードウェアとファームウェアとの組み合わせで実施されても構わない。
また、上記各実施の形態を実施させるプログラムは、また、磁気ディスク装置、ＦＤ（Ｆｌｅｘｉｂｌｅ　Ｄｉｓｋ）、光ディスク、ＣＤ（コンパクトディスク）、ＭＤ（ミニディスク）、ＤＶＤ（Ｄｉｇｉｔａｌ　Ｖｅｒｓａｔｉｌｅ　Ｄｉｓｋ）等のその他の記録媒体による記録装置を用いても構わない。
また、利用者携帯電話２は、例えは、液晶表示装置、その他の表示装置、入力ボタン等の入力装置を備えていても構わない。利用者ＰＣ１、販売店の通信装置３、信販会社の通信装置４は、例えは、ＣＲＴ表示装置、その他の表示装置、キーボード、マウス等の入力装置、プリンタ装置等の出力装置を備えていても構わない。
【００５３】
以上のように、上記各実施の形態におけるコンピュータに実行させるためのプログラム、或いはプログラムを記録したコンピュータ読み取り可能な記録媒体は、
所定の情報に基づき、クレジットカード情報とは異なるクレジットカード情報に代わりクレジット決済を行なうための第１のクレジット代替情報を生成する生成処理と、
上記生成処理により生成された第１のクレジット代替情報を、上記クレジットカード情報が記録されたクレジットカードを所有するユーザの通信装置へ出力する出力処理と、
上記出力処理により出力された第１のクレジット代替情報を入力したユーザの通信装置から上記ユーザが購入を希望する所定の商品を販売する販売店の通信装置へ所定の商品の購入を希望する通知があった場合に、上記販売店の通信装置から上記クレジットカード情報に代わりクレジット決済を行なうための第２のクレジット代替情報を入力する入力処理と、
上記出力処理により出力された第１のクレジット代替情報と上記入力処理により入力された第２のクレジット代替情報とが所定の条件を満たすかどうかを判断する判断処理と、
上記判断処理により上記第１のクレジット代替情報と上記第２のクレジット代替情報とが上記所定の条件を満たすと判断された判断結果情報を上記販売店の通信装置に出力する出力処理と
をコンピュータに実行させるプログラムコードを備えている。
【００５４】
以上のように、上記各実施の形態におけるコンピュータに実行させるためのプログラム、或いはプログラムを記録したコンピュータ読み取り可能な記録媒体は、
ユーザが所有するクレジットカードに記録されたクレジットカード情報に基づく上記クレジットカード情報とは異なるクレジット代替情報を受信する受信処理と、
購入を希望する所定の商品に関する商品情報とを入力する入力処理と、
上記受信処理により受信されたクレジット代替情報と上記入力処理により入力された商品情報とを上記所定の商品を販売する販売店の通信装置に送信する送信処理と、
上記販売店の通信装置が上記クレジットカードを発行した信販会社の通信装置より上記送信処理により送信されたクレジット代替情報に基づいてクレジット決済が許可された場合に、上記送信処理により送信されたクレジット代替情報と商品情報とに基づいた上記所定の商品を販売することを通知する販売情報を上記販売店の通信装置から受信する受信処理と
をコンピュータに実行させるプログラムコードを備えている。
【００５５】
以上のように、上記各実施の形態におけるコンピュータに実行させるためのプログラム、或いはプログラムを記録したコンピュータ読み取り可能な記録媒体は、
ユーザが所有するクレジットカードに記録されたクレジットカード情報とは異なるクレジット代替情報と、上記クレジット代替情報が上記クレジットカードを発行した信販会社の通信装置により生成されたと判断された判断結果情報とを入力する入力処理と、
上記入力処理により入力された判断結果情報に基づき、上記ユーザが購入を希望する所定の商品を販売することを通知する販売情報を生成する生成処理と、
上記クレジットカードを発行した信販会社の通信装置に上記入力処理により入力されたクレジット代替情報を出力し、上記ユーザの通信装置に上記生成処理により生成された販売情報を出力する出力処理と
をコンピュータに実行させるプログラムコードを備えている。
【００５６】
【発明の効果】
本発明によれば、クレジットカードの不正使用を防止するとともに、購入時に販売店へのクレジットカード番号の通知を不要にする決済方法を提供することができる信販会社の通信装置を提供することができる。
【００５７】
本発明によれば、クレジットカードの不正使用を防止するとともに、購入時に販売店へのクレジットカード番号の通知を不要にする決済方法を提供することができるユーザの通信装置を提供することができる。
【００５８】
本発明によれば、クレジットカードの不正使用を防止するとともに、購入時に販売店へのクレジットカード番号の通知を不要にする決済方法を提供することができる販売店の通信装置を提供することができる。
【００５９】
本発明によれば、クレジットカードの不正使用を防止するとともに、購入時に販売店へのクレジットカード番号の通知を不要にする決済方法を提供することができる。
【図面の簡単な説明】
【図１】実施の形態１のシステム構成を示す図。
【図２】信販会社の通信装置の構成を示す図である。
【図３】ユーザの通信装置の構成を示す図である。
【図４】販売店の通信装置の構成を示す図である。
【図５】実施の形態１における処理を示す図。
【図６】実施の形態１における利用者携帯電話の処理を示すフローチャート。
【図７】実施の形態１におけるデータを示す図。
【図８】実施の形態１における信販会社の通信装置の処理を示すフローチャート。
【図９】実施の形態１におけるデータを示す図。
【図１０】実施の形態１における利用者携帯電話の処理を示すフローチャート。
【図１１】実施の形態１におけるデータを示す図。
【図１２】実施の形態１におけるデータを示す図。
【図１３】実施の形態１におけるデータを示す図。
【図１４】実施の形態１における信販会社の通信装置の処理を示すフローチャート。
【図１５】この発明の実施の形態２のシステム構成を示す図。
【図１６】この発明の実施の形態３のシステム構成を示す図。
【図１７】この発明の実施の形態３のシステム構成を示す図。
【符号の説明】
１，１ａ　利用者ＰＣ、２，２ａ　利用者携帯電話、３　販売店の通信装置、４，４ａ　信販会社の通信装置、５　通信事業者の通信装置、６　基地局、７　ＩＣカードリーダ、１１　インターネット、１２　専用回線、１３　公衆回線、１４　無線通信網、１５　無線ＬＡＮ、５０　ユーザの通信装置、３０１　入力部、３０２　生成部、３０３　出力部、４０１　生成部、４０２　出力部、４０３　入力部、４０４　判断部、４０５　記憶部、５０１　受信部、５０２　入力部、５０３　送信部、５０４　生成部。
【図１】
2004102484.tif 000003
【図２】
2004102484.tif 000004
【図３】
2004102484.tif 000005
【図４】
2004102484.tif 000006
【図５】
2004102484.tif 000007
【図６】
2004102484.tif 000008
【図７】
2004102484.tif 000009
【図８】
2004102484.tif 000010
【図９】
2004102484.tif 000011
【図１０】
2004102484.tif 000012
【図１１】
2004102484.tif 000013
【図１２】
2004102484.tif 000014
【図１３】
2004102484.tif 000015
【図１４】
2004102484.tif 000016
【図１５】
2004102484.tif 000017
【図１６】
2004102484.tif 000018
【図１７】
2004102484.tif 000019